(57)【要約】【課題】互換性に優れた情報記憶媒体を提供すること。【解決手段】情報記憶媒体は、所定規格に適合した再生装置で再生可能な前記所定規格に適合した第１のデータを格納した第１のゾーンと、外部端末から提供されるキーにより復号可能な暗号化された第２のデータを格納した第２のゾーンとを備えている。【選択図】図１
2007323749.tif 000002
【特許請求の範囲】
【請求項１】
所定規格に適合した再生装置で再生可能な前記所定規格に適合した第１のデータを格納した第１のゾーンと、
外部端末から提供されるキーにより復号可能な暗号化された第２のデータを格納した第２のゾーンと、
を備えた情報記憶媒体。
【請求項２】
前記所定規格は、ＤＶＤ−Ｖｉｄｅｏ規格であり、
前記第１のデータは、この情報記憶媒体に格納されたキーで復号可能な第１の暗号化方式で暗号化された第１のＤＶＤ−Ｖｉｄｅｏデータであり、
前記第２のデータは、この情報記憶媒体に格納されていない外部端末から提供されるキーにより復号可能な第２の暗号化方式で暗号化されたデータである、
ことを特徴とする請求項１に記載の情報記憶媒体。
【請求項３】
前記第２のゾーンは、
必須構成として、ＭＴＤ（Ｍｕｌｔｉ Ｔｉｔｌｅ Ｄｉｓｃ）−Ｖｉｄｅｏエリアを含み、
さらにオプション構成として、前記ＤＶＤ−Ｖｉｄｅｏ規格で規定されたデータ構造と同一データ構造であり、前記第２の暗号化方式で暗号化された第２のＤＶＤ−Ｖｉｄｅｏデータを格納する１以上のＤＶＤ−Ｖｉｄｅｏエリアを含む、
ことを特徴とする請求項２に記載の情報記憶媒体。
【請求項４】
前記ＭＴＤ−Ｖｉｄｅｏエリアは、
ビデオマネージャーを格納するビデオマネージャーエリアと、
１以上のビデオタイトルセットを格納する１以上のビデオタイトルセットエリアと、
を含み、
前記ビデオタイトルセットは、このビデオタイトルセットの単位で外部端末から提供されるキーにより復号可能なデータである、
ことを特徴とする請求項３に記載の情報記憶媒体。
【請求項５】
前記第２のゾーンに含まれる前記ＤＶＤ−Ｖｉｄｅｏエリアに格納される前記第２のＤＶＤ−Ｖｉｄｅｏデータは、この第２のＤＶＤ−Ｖｉｄｅｏデータの単位で外部端末から提供されるキーにより復号可能なデータである、
ことを特徴とする請求項３に記載の情報記憶媒体。
【請求項６】
前記第１のデータを格納したフォルダ、及び前記第２のデータを格納したフォルダを含む第１の階層と、
前記第２のフォルダにオプション構成として含まれるフォルダであって、前記第２のＤＶＤ−Ｖｉｄｅｏデータを格納した１以上のフォルダを含む第２の階層と、
を備えたフォルダ構成の請求項３に記載の情報記憶媒体。
【請求項７】
前記第１のゾーンは、第１のビデオマネージャー及びこの第１のビデオマネージャーにより管理される１以上のビデオタイトルセットを格納し、
前記第２のゾーンは、第２のビデオマネージャー及びこの第２のビデオマネージャーにより管理される１以上のビデオタイトルセットを格納し、
前記第２のビデオマネージャーは、前記第１のゾーンに格納される第１のビデオタイトルセットの格納位置を示す第１のタイトルサーチポインタ、及び前記第２のゾーンに格納される第２のビデオタイトルセットの格納位置を示す第２のタイトルサーチポインタを格納し、
前記第１のタイトルサーチポインタは、前記第１のビデオタイトルセットの再生前に所定の動作を命じるプリコマンド、及び前記第１のタイトルの再生後に所定の動作を命じるポストコマンドの少なくとも一方のコマンドを格納する、
ことを特徴とする請求項１に記載の情報記憶媒体。
【請求項８】
所定規格に適合した再生装置で再生可能な前記所定規格に適合した第１のデータを格納した第１のゾーンと、外部端末から提供されるキーにより復号可能な暗号化された第２のデータを格納した第２のゾーンとを備えた情報記憶媒体を再生する情報再生装置であって、
前記第１のゾーンに格納された前記第１のデータを再生する第１の再生手段と、
外部端末から提供されるキーを管理するキー管理手段と、
前記キー管理手段により管理される前記キーを格納するキー格納手段と、
前記キーに基づき、前記第２のゾーンに格納された前記第２のデータを復号化して再生する第２の再生手段と、
を備えたことを特徴とする情報再生装置。
【請求項９】
前記所定規格は、ＤＶＤ−Ｖｉｄｅｏ規格であり、
前記第１のデータは、この情報記憶媒体に格納されたキーで復号可能な第１の暗号化方式で暗号化された第１のＤＶＤ−Ｖｉｄｅｏデータであり、
前記第２のデータは、この情報記憶媒体に格納されていない外部端末から提供されるキーにより復号可能な第２の暗号化方式で暗号化されたデータであり、
前記第２のゾーンは、
必須構成として、ＭＴＤ（Ｍｕｌｔｉ Ｔｉｔｌｅ Ｄｉｓｃ）−Ｖｉｄｅｏエリアを含み、
さらにオプション構成として、前記ＤＶＤ−Ｖｉｄｅｏ規格で規定されたデータ構造と同一データ構造であり、前記第２の暗号化方式で暗号化された第２のＤＶＤ−Ｖｉｄｅｏデータを格納する１以上のＤＶＤ−Ｖｉｄｅｏエリアを含み、
前記ＭＴＤ−Ｖｉｄｅｏエリアは、
ビデオマネージャーを格納するビデオマネージャーエリアと、
１以上のビデオタイトルセットを格納する１以上のビデオタイトルセットエリアと、
を含み、
前記ビデオタイトルセットは、このビデオタイトルセットの単位で外部端末から提供されるキーにより復号可能なデータであり、
前記キー格納手段は、前記ビデオタイトルセットの単位で外部端末から提供されるキーを格納することを特徴とする請求項８に記載の情報再生装置。
【請求項１０】
前記第２のゾーンに含まれる前記ＤＶＤ−Ｖｉｄｅｏエリアに格納される前記第２のＤＶＤ−Ｖｉｄｅｏデータは、この第２のＤＶＤ−Ｖｉｄｅｏデータの単位で外部端末から提供されるキーにより復号可能なデータであり、
前記キー格納手段は、前記第２のＤＶＤ−Ｖｉｄｅｏデータの単位で外部端末から提供されるキーを格納することを特徴とする請求項９に記載の情報再生装置。
【請求項１１】
前記第２の再生手段は、前記キー格納手段に所定のキーが格納されていないことに基づき、所定のキーの未取得を案内することを特徴とする請求項９に記載の情報再生装置。
【請求項１２】
前記キー管理手段は、前記第２の再生手段による再生動作とは非同期に外部端末からキーを取得することを特徴とする請求項８に記載の情報再生装置。
【請求項１３】
前記第１及び第２の再生手段による再生動作に関する再生情報、及び前記キー管理手段により管理されるキーに関するキー情報を表示する表示手段を備え、
前記表示手段は、前記再生情報よりも前記キー情報を優先的に表示することを特徴とする請求項８に記載の情報再生装置。
【請求項１４】
所定規格に適合した再生装置で再生可能な前記所定規格に適合した第１のデータを格納した第１のゾーンと、外部端末から提供されるキーにより復号可能な暗号化された第２のデータを格納した第２のゾーンとを備えた情報記憶媒体を再生する情報再生方法であって、
前記第１のデータ及び前記第２のデータを選択的に再生する、
ことを特徴とする情報再生方法。
【請求項１５】
前記所定規格は、ＤＶＤ−Ｖｉｄｅｏ規格であり、
前記第１のデータは、この情報記憶媒体に格納されたキーで復号可能な第１の暗号化方式で暗号化された第１のＤＶＤ−Ｖｉｄｅｏデータであり、
前記第２のデータは、この情報記憶媒体に格納されていない外部端末から提供されるキーにより復号可能な第２の暗号化方式で暗号化されたデータであり、
前記第２のゾーンは、
必須構成として、ＭＴＤ（Ｍｕｌｔｉ Ｔｉｔｌｅ Ｄｉｓｃ）−Ｖｉｄｅｏエリアを含み、
さらにオプション構成として、前記ＤＶＤ−Ｖｉｄｅｏ規格で規定されたデータ構造と同一データ構造であり、前記第２の暗号化方式で暗号化された第２のＤＶＤ−Ｖｉｄｅｏデータを格納する１以上のＤＶＤ−Ｖｉｄｅｏエリアを含み、
前記ＭＴＤ−Ｖｉｄｅｏエリアは、
ビデオマネージャーを格納するビデオマネージャーエリアと、
１以上のビデオタイトルセットを格納する１以上のビデオタイトルセットエリアと、
を含み、
前記ビデオタイトルセットは、このビデオタイトルセットの単位で外部端末から提供されるキーにより復号可能なデータであり、
前記ビデオタイトルセットの単位で外部端末から提供されるキーを格納することを特徴とする請求項１４に記載の情報再生方法。
【請求項１６】
前記第２のゾーンに含まれる前記ＤＶＤ−Ｖｉｄｅｏエリアに格納される前記第２のＤＶＤ−Ｖｉｄｅｏデータは、この第２のＤＶＤ−Ｖｉｄｅｏデータの単位で外部端末から提供されるキーにより復号可能なデータであり、
前記第２のＤＶＤ−Ｖｉｄｅｏデータの単位で外部端末から提供されるキーを格納することを特徴とする請求項１５に記載の情報再生方法。
【請求項１７】
所定のキーが格納されていないことに基づき、所定のキーの未取得を案内することを特徴とする請求項１５に記載の情報再生方法。
【発明の詳細な説明】
【技術分野】
【０００１】
本発明は、ＤＶＤ−Ｖｉｄｅｏ規格に適合したＤＶＤ−Ｖｉｄｅｏなどの情報記憶媒体の改良に関する。また、本発明は、このような情報記憶媒体を再生する情報再生装置及び情報再生方法に関する。
【背景技術】
【０００２】
現在、ＤＶＤビデオや音楽ＣＤ等に記録したパッケージコンテンツが市場に出回っている。ユーザは、パッケージコンテンツを購入することで電子コンテンツを楽しむことができる。さらに、近年では、ユーザは、パッケージコンテンツを購入することなく、電子配信により電子コンテンツを楽しむことができるようになっている。電子配信の普及に伴い、電子配信された電子コンテンツを再生する様々な技術が提案されている（特許文献１参照）。
【特許文献１】特開２００１−２５８００９
【発明の開示】
【発明が解決しようとする課題】
【０００３】
上記したように、コンテンツの提供方法は日進月歩であり、これに対応して様々な再生装置の登場が予想される。一方で、ユーザが所有している再生装置（以前購入した再生装置）で、購入したパッケージコンテンツ（最近購入したパッケージコンテンツ）が全く再生できないような事態は避けたい。
【０００４】
本発明の目的は、上記課題を解決するためになされたものであり、互換性に優れた情報記憶媒体を提供することにある。また、本発明の目的は、互換性に優れた情報記憶媒体を再生する情報再生装置及び情報再生方法を提供することにある。
【課題を解決するための手段】
【０００５】
この発明の情報記憶媒体、情報再生装置、及び情報再生方法は、以下のように構成されている。
【０００６】
（１）この発明の一例の情報記憶媒体は、所定規格（ＤＶＤ−Ｖｉｄｅｏ規格）に適合した再生装置（ＤＶＤ−Ｖｉｄｅｏプレーヤ）で再生可能な前記所定規格に適合した第１のデータ（ＤＶＤ−Ｖｉｄｅｏデータ）を格納した第１のゾーン（ＤＶＤ−Ｖｉｄｅｏ Ｚｏｎｅ）と、外部端末から提供されるキーにより復号可能な暗号化（Ｃ２）された第２のデータを格納した第２のゾーン（ＭＴＤ Ｚｏｎｅ）とを備えている。
【０００７】
（２）この発明の一例の情報再生装置は、所定規格に適合した再生装置で再生可能な前記所定規格に適合した第１のデータを格納した第１のゾーンと、外部端末から提供されるキーにより復号可能な暗号化された第２のデータを格納した第２のゾーンとを備えた情報記憶媒体を再生する情報再生装置であって、前記第１のゾーンに格納された前記第１のデータを再生する第１の再生手段と、外部端末から提供されたキーに基づき、前記第２のゾーンに格納された前記第２のデータを復号化して再生する第２の再生手段とを備えている。
【０００８】
（３）この発明の一例の情報再生方法は、所定規格に適合した再生装置で再生可能な前記所定規格に適合した第１のデータを格納した第１のゾーンと、外部端末から提供されるキーにより復号可能な暗号化された第２のデータを格納した第２のゾーンとを備えた情報記憶媒体を再生する情報再生方法であって、前記第１のデータ及び前記第２のデータを選択的に再生する。
【発明の効果】
【０００９】
本発明によれば、互換性に優れた情報記憶媒体を提供できる。また、本発明は、互換性に優れた情報記憶媒体を再生する情報再生装置及び情報再生方法を提供できる。
【発明を実施するための最良の形態】
【００１０】
以下、図面を参照し、本発明の実施形態について説明する。
【００１１】
図１は、本発明の実施形態に係る情報記憶媒体（Ｍｕｌｔｉ Ｔｉｔｌｅ Ｄｉｓｃ、以下ＭＴＤ）の概略構成を示す図である。
【００１２】
図１に示すように、ＭＴＤのボリュームスペースは、ボリューム及びファイルストラクチャー１１、ＤＶＤ−Ｖｉｄｅｏゾーン１２、ＤＶＤアザーズゾーン１３を備えている。さらに、ＤＶＤアザーズゾーン１３は、ＭＴＤゾーン１３１、ＭＴＤアザーズゾーン１３２を備えている。
【００１３】
ＤＶＤ−Ｖｉｄｅｏゾーン１２は、既存のＤＶＤプレイヤーで再生可能である。ＤＶＤ−Ｖｉｄｅｏゾーン１２は、管理情報としてのビデオマネージャー（ＶＭＧ）及びこのＶＭＧにより管理される１以上のビデオタイトルセット（ＶＴＳ）を含む。ＭＴＤゾーン１３１は、ＭＴＤ対応プレイヤーで再生可能である。ＭＴＤアザーズゾーン１３２は、パーソナルコンピュータで利用可能である。制約として、ＤＶＤ−Ｖｉｄｅｏゾーン１２及びＭＴＤゾーン１３１は、ディスク上に各１つである。
【００１４】
図２は、ＭＴＤゾーンの一例を示す図である。
【００１５】
図２に示すように、ＭＴＤゾーン１３１は、必須構成としての１つのＭＴＤ＿Ｖｉｄｅｏ１３１０を含み、さらにＭＴＤゾーン１３１は、オプション構成としてのＤＶＤ−Ｖｉｄｅｏ＿ｗｉｔｈ＿Ｃ２（１３１１）を含むことができる。一つのＤＶＤ−Ｖｉｄｅｏ＿ｗｉｔｈ＿Ｃ２は、一つのビデオタイトルセットとして扱われる。つまり、ＤＶＤ−Ｖｉｄｅｏ＿ｗｉｔｈ＿Ｃ２は、０以上で、最大数はタイトル番号の制約から決まる。なお、Ｃ２は、Ｃｒｙｐｔｏｍｅｒｉａ Ｃｉｐｈｅｒと呼ばれる暗号化方式の略記である。
【００１６】
図３は、ＭＴＤ＿Ｖｉｄｅｏの一例を示す図である。
【００１７】
図３に示すように、ＭＴＤ＿Ｖｉｄｅｏ１３１０は、管理情報としてのビデオマネージャー（ＶＭＧ）を格納するビデオマネージャーエリアと、１以上のビデオタイトルセット（ＶＴＳ）を格納する１以上のビデオタイトルセットエリアとを含む。著作権保護のため、ＶＴＳはＣ２により暗号化される。ＶＴＳの単位で、復号化のためのタイトルキーが、例えばプロバイダーにより管理されている。外部端末がプロバイダーから受信したタイトルキーは、後述するＭＴＤプレイヤーのキー管理システムが受け取る。なお、ＶＭＧを復号化するためのタイトルキーは、ＶＭＧエリアに記録されている。
【００１８】
後述するＭＴＤプレイヤーのシステムパラメータは、ＤＶＤ−Ｖｉｄｅｏプレイヤーのシステムパラメータと原則的に共通となる。しかしながら、一部システムパラメータを異なるパラメータとしてもよい。
【００１９】
ＶＴＳの最大数は９９とする。つまり、ＶＴＳの最大数は、タイトル番号の最大数となる。具体的には、９９から他のゾーンの参照数を引いた数となる。ＭＴＤでは、一つのＤＶＤ−Ｖｉｄｅｏ＿ｗｉｔｈ＿Ｃ２中の１タイトル、又は一つのＤＶＤ−Ｖｉｄｅｏ＿ｗｉｔｈ＿Ｃ２そのものへの参照を、１タイトルとして扱う。また、ＤＶＤ−Ｖｉｄｅｏゾーン中の１タイトル、又はＤＶＤ−Ｖｉｄｅｏゾーン中のコンテンツそのものの参照も、１タイトルとして扱う。
【００２０】
続いて、ＤＶＤ−Ｖｉｄｅｏ＿ｗｉｔｈ＿Ｃ２の構造について説明する。
【００２１】
アプリケーションの構造は以下を除いてＤＶＤ−Ｖｉｄｅｏのアプリケーションと同一とする。
【００２２】
１）ゾーンおよびフォルダの差
２）暗号方式がＣ２
タイトルキーは、１つのＤＶＤ−Ｖｉｄｅｏ＿ｗｉｔｈ＿Ｃ２に対して１つ割り当てられる。これにより、既存のＤＶＤ−Ｖｉｄｅｏディスクで採用されているＣＳＳの替わりにＣ２を採用するだけで、既存のＤＶＤ−ＶｉｄｅｏディスクのデータをＭＴＤへ記録することが可能となる。なお、ＣＳＳは、Ｃｏｎｔｎｅｔ Ｓｃｒａｍｂｌｅ Ｓｙｓｔｅｍと呼ばれる暗号化方式の略記である。また、ＤＶＤ−Ｖｉｄｅｏ＿ｗｉｔｈ＿Ｃ２のプレイヤーのシステムパラメータは、ＭＴＤ−Ｖｉｄｅｏのプレイヤーのシステムパラメータと共通である。
【００２３】
図４は、ＭＴＤプレイヤー（情報再生装置）の一例を示す図である。
【００２４】
図４に示すように、ＭＴＤプレイヤー２は、ＭＴＤ＿Ｖｉｄｅｏプレイヤー２１、ＤＶＤ−Ｖｉｄｅｏ＿ｗｉｔｈ＿Ｃ２プレイヤー２２、ＤＶＤ−Ｖｉｄｅｏプレイヤー２３を備えている。
【００２５】
第１に、ＭＴＤ＿Ｖｉｄｅｏプレイヤー２１について説明する。
【００２６】
ＭＴＤプレイヤー２のディフォルトセッティングでは、ＭＴＤ１が挿入されると、ＭＴＤ＿Ｖｉｄｅｏプレイヤー２１が最初に動作する。なお、ユーザの設定により、ＭＴＤ＿Ｖｉｄｅｏプレイヤー２１の機能を停止することができる。この場合、ＭＴＤプレイヤー２は、ＤＶＤ−Ｖｉｄｅｏプレイヤーとして動作する。
【００２７】
ＤＶＤ−Ｖｉｄｅｏ＿ｗｉｔｈ＿Ｃ２ゾーン又はＤＶＤ−Ｖｉｄｅｏゾーンのデータを再生する場合は、ＭＴＤ−Ｖｉｄｅｏゾーンのナビゲーションコマンドにより、他の２つのプレイヤー（ＤＶＤ−Ｖｉｄｅｏ＿ｗｉｔｈ＿Ｃ２プレイヤー２２及びＤＶＤ−Ｖｉｄｅｏプレイヤー２３）に、あたかも新しいディスクが挿入されたかのように、ＤＶＤ−Ｖｉｄｅｏ＿ｗｉｔｈ＿Ｃ２ゾーンやＤＶＤ−Ｖｉｄｅｏゾーンの再生を指令する。他の２つのプレイヤーのどちらかが動作している間は、ＭＴＤプレイヤー２は他の２つのプレイヤーの終了を待つ。このとき、ＭＴＤプレイヤー２は必要な情報を保持する。
【００２８】
また、ＭＴＤ−Ｖｉｄｅｏゾーンのナビゲーションコマンドにより、ＤＶＤ−Ｖｉｄｅｏ＿ｗｉｔｈ＿Ｃ２ゾーン、及びＤＶＤ−Ｖｉｄｅｏゾーン中の特定のタイトルを再生できる。この場合は、該当タイトルがあたかもＭＴＤ−Ｖｉｄｅｏゾーンに存在するように振舞う。しかしながら、該当タイトル中のコマンド領域（プリコマンド及びポストコマンド等）中のタイトルを跨って再生を指示するコマンド（ＪｕｍｐＶＴＳ＿ＴＴ）、メニューへ移行するコマンド（ＣａｌｌＳＳ）など、一部のコマンドは無視する。
【００２９】
第２に、ＤＶＤ−Ｖｉｄｅｏプレイヤー２３について説明する。
【００３０】
ＤＶＤ−Ｖｉｄｅｏディスクが挿入されると、ＤＶＤ−Ｖｉｄｅｏプレイヤー２３が最初に動作する。ＭＴＤ１が挿入されたときは、ＤＶＤ−Ｖｉｄｅｏプレイヤー２３は、ディフォルト設定では動作しないが、ユーザの設定により最初に動作するようにできる。
【００３１】
ＤＶＤ−Ｖｉｄｅｏプレイヤー２３は、ＭＴＤ＿Ｖｉｄｅｏプレイヤー２１からの指示で、ＭＴＤ１中のＤＶＤ−Ｖｉｄｅｏゾーンを再生できるように機能拡張されたプレイヤーである。ＤＶＤ−Ｖｉｄｅｏプレイヤー２３は、ＤＶＤ−Ｖｉｄｅｏゾーンを再生するよう指示された時は、Ｆｉｒｓｔ Ｐｌａｙから再生する（あたかも新しいディスクが挿入されたように振舞う）。
【００３２】
再生が完了し、ＭＴＤ＿Ｖｉｄｅｏプレイヤー２１に制御が戻る時には、ＤＶＤ−Ｖｉｄｅｏプレイヤー２３は全ての状態を失ってよい。次に再生するとき、またＦｉｒｓｔ Ｐｌａｙから始まる。動作中は、ユーザオペレーションは全てこのＤＶＤ−Ｖｉｄｅｏプレイヤー２３が処理する。このＤＶＤ−Ｖｉｄｅｏプレイヤー２３の動作が終了すると、ＭＴＤ＿Ｖｉｄｅｏプレイヤー２１が動作を始める。
【００３３】
第３に、ＤＶＤ−Ｖｉｄｅｏ＿ｗｉｔｈ＿Ｃ２プレイヤー２２について説明する。
【００３４】
ＤＶＤ−Ｖｉｄｅｏ＿ｗｉｔｈ＿Ｃ２プレイヤー２２は、ＭＴＤ＿Ｖｉｄｅｏプレイヤー２１からの指示で、ＭＴＤ１中のＤＶＤ−Ｖｉｄｅｏ＿ｗｉｔｈ＿Ｃ２ゾーンを再生できるように機能拡張されたプレイヤーである。ＤＶＤ−Ｖｉｄｅｏ＿ｗｉｔｈ＿Ｃ２プレイヤー２２は、ＤＶＤ−Ｖｉｄｅｏ＿ｗｉｔｈ＿Ｃ２ゾーンを再生するよう指示された時は、Ｆｉｒｓｔ Ｐｌａｙから再生する（あたかも新しいディスクが挿入されたように振舞う）。
【００３５】
再生が完了し、ＭＴＤ＿Ｖｉｄｅｏプレイヤー２１に制御が戻る時には、ＤＶＤ−Ｖｉｄｅｏ＿ｗｉｔｈ＿Ｃ２プレイヤー２２は全ての状態を失ってよい。次に再生するとき、またＦｉｒｓｔ Ｐｌａｙから始まる。動作中は、ユーザオペレーションは全てこのＤＶＤ−Ｖｉｄｅｏ＿ｗｉｔｈ＿Ｃ２プレイヤー２２が処理する。このＤＶＤ−Ｖｉｄｅｏ＿ｗｉｔｈ＿Ｃ２プレイヤー２２の動作が終了すると、ＭＴＤ＿Ｖｉｄｅｏプレイヤー２１が動作を始める。
【００３６】
図５は、ＭＴＤ１のフォルダ構成の一例を示す図である。
【００３７】
図５に示すように、ＭＴＤ１は、複数の階層構造を有する。例えば、ＭＴＤ１は、ＤＶＤ−Ｖｉｄｅｏのデータを格納した第１のフォルダ（ＶＩＤＥＯ＿ＴＳ）、及びＭＴＤ−Ｖｉｄｅｏのデータを格納した第２のフォルダ（ＭＴＤ＿ＴＳ）を含む第１の階層と、この第２のフォルダにオプション構成として含まれるフォルダであって、ＤＶＤ−Ｖｉｄｅｏ＿ｗｉｔｈ＿Ｃ２のデータを格納した１以上のフォルダ（ＳＵＢ０１＿ＴＳ、ＳＵＢ０２＿ＴＳ、…、ＳＵＢ＃＃＿ＴＳ）を含む第２の階層とを有する。
【００３８】
次に、ＤＶＤ−Ｖｉｄｅｏゾーン及びＤＶＤ−Ｖｉｄｅｏ＿ｗｉｔｈ＿Ｃ２の呼び出し方について説明する。
【００３９】
ＭＴＤ−Ｖｉｄｅｏ中でのタイトル番号を、図６に示すタイトルサーチポインタ（以下、ＴＴサーチポインタ）を拡張して、ＤＶＤ−ＶｉｄｅｏゾーンのタイトルおよびＤＶＤ−Ｖｉｄｅｏ＿ｗｉｔｈ＿Ｃ２にマッピングすることによって呼び出す。
【００４０】
ＭＴＤ＿Ｖｉｄｅｏ１３１０のＶＭＧは、ＴＴサーチポインタテーブルを含む。このＴＴサーチポインタテーブルには、最大９９個のＴＴサーチポインタを格納することができる。ＴＴサーチポインタは、タイトル（ＤＶＤ−Ｖｉｄｅｏゾーンのタイトル、ＭＴＤ＿Ｖｉｄｅｏ１３１０のタイトル、ＤＶＤ−Ｖｉｄｅｏ＿ｗｉｔｈ＿Ｃ２のタイトル）の再生開始位置（アドレス）を示す。さらに、ＴＴサーチポインタは、プリコマンド及びポストコマンドを含むことができる。所定のＴＴサーチポインタに含まれるプリコマンドは、この所定のＴＴサーチポインタによりサーチされるタイトルの再生前に所定の動作を命令する。また、所定のＴＴサーチポインタに含まれるポストコマンドは、この所定のＴＴサーチポインタによりサーチされるタイトルの再生後に所定の動作を命令する。
【００４１】
ＴＴサーチポインタにおいて、ＤＶＤ−Ｖｉｄｅｏゾーン内のタイトル指定では、タイトル内のＥｘｉｔ，ＣａｌｌＳＳ及びＪｕｍｐＶＴＳ＿ＴＴコマンドは無視し、これが出てきたらそのタイトルの終わりとみなす。
【００４２】
ＤＶＤ−Ｖｉｄｅｏ＿ｗｉｔｈ＿Ｃ２でタイトル番号を指定したときは、ＤＶＤ−Ｖｉｄｅｏゾーン同様に、指定されたタイトル中の一部命令（タイトル外へのジャンプ命令等）  を無視する。あるいは、一部命令（タイトル外へのジャンプ命令等）を含むものは指定できないとしてもよい。
【００４３】
また、ＤＶＤ−Ｖｉｄｅｏ＿ｗｉｔｈ＿Ｃ２（ディレクトリ指定の場合）の連続再生指定は禁止する（規格で禁止してもよいが、オーサリングルールで禁止、つまりプレーヤはコマンドがあれば受け付ける）と、ストップ操作をおこなったにもかかわらず、次のタイトルの再生が始まってしまう事態が避けられる。
【００４４】
タイトル番号をマッピングする。マッピング先は以下の３種。
【００４５】
１）ＭＴＤゾーンの場合
ＭＴＤゾーンでのタイトル番号をマッピング先とする。ＴＴサーチポインタ上での記述順番が、そのままＭＴＤ−Ｖｉｄｅｏのタイトル番号となる。またＭＴＤ−Ｖｉｄｅｏ内のタイトルを連続再生させる様に指示することができる。この場合、コマンド領域にＪｕｍｐＴＴコマンドを設定できるようにし、そのタイトルの再生が終わったら、ＪｕｍｐＴＴコマンドで指定した次のタイトル番号を再生する。指定されたタイトルが再生不可のときもトップメニューを表示する。
【００４６】
２）ＤＶＤ−Ｖｉｄｅｏゾーン／ＤＶＤ−Ｖｉｄｅｏ＿Ｗｉｔｈ＿Ｃ２
ディレクトリの２桁の番号をマッピング先とする。
【００４７】
２．１）フォルダのみ指定の場合
・まず、ＴＴサーチポインタに記述したプリコマンドを実行する。
【００４８】
・ジャンプ後は、ＤＶＤ−Ｖｉｄｅｏ又はＤＶＤ−Ｖｉｄｅｏ＿ｗｉｔｈ＿Ｃ２に制御を移す。
【００４９】
・ユーザオペレーションにより、ＭＴＤ−Ｖｉｄｅｏに制御を戻す。以下、具体例である。
【００５０】
Return_To_MTD()   ＜引数＞無し 
＜同等なナビゲーションコマンド＞無し
プレーヤ必須ファンクション。
【００５１】
２．１．１）ＤＶＤ−Ｖｉｄｅｏ又はＤＶＤ−Ｖｉｄｅｏ＿ｗｉｔｈ＿Ｃ２内のとき。
【００５２】
ＭＴＤ−Ｖｉｄｅｏに戻る。戻った後の動作は、ＴＴサーチポインタに記述したポストコマンドを実行する。
【００５３】
２．１．２）ＤＶＤ−Ｖｉｄｅｏ又はＤＶＤ−Ｖｉｄｅｏ＿ｗｉｔｈ＿Ｃ２以外で呼ばれたとき。
【００５４】
ＭＴＤのトップメニューを表示する。
【００５５】
実際のプレイヤーでは、このユーザオペレーションをＤＶＤ−Ｖｉｄｅｏ又はＤＶＤ−Ｖｉｄｅｏ＿ｗｉｔｈ＿Ｃ２内の停止状態において、ストップキーを押したとき発行する。携帯アプリケーションでは、ＭＴＤボタン（携帯リモコン）に割り当てる。
【００５６】
・制御が戻ったあとの動作
ＭＴＤのトップメニューを表示する。
【００５７】
２．２）タイトル番号指定ありの場合
あたかも、ＭＴＤゾーン中のタイトルのように再生するが、再生の前後に、ＴＴサーチポインタに記述したプリコマンド又はポストコマンドを実行する。
【００５８】
次に、リージョン等の取扱いについて説明する。
【００５９】
リージョンは、ＤＶＤ−Ｖｉｄｅｏ、ＭＴＤ−Ｖｉｄｅｏ、ＤＶＤ−Ｖｉｄｅｏ＿ｗｉｔｈ＿Ｃ２で同じ値にしなければならない。リージョンの格納位置は、ＶＭＧＩ中のＶＭＧ＿ＣＡＴとなる。リージョンのサイズは、８ビットである。
【００６０】
ＶＯＢＵ＿ＣＡＴについて説明する。ＡＰＳＴＢは、２ｂｉｔ（ＤＶＤ−Ｖｉｄｅｏと同じ）のみ。ＡＰＳＴＢの２ｂｉｔは、暗号キーとして用い、改変不能にする。
【００６１】
ＭＴＤ＿Ｖｉｄｅｏプレイヤーとして動作しているときは、プレイヤーからの出力は全てコピー禁止（Ｃｏｐｙ Ｎｅｖｅｒ）として扱う。
【００６２】
図７は、ＭＴＤプレイヤーのキー管理等を説明するための図である。
【００６３】
図７に示すように、ＭＴＤプレイヤーは、さらに、キー管理システム２４、赤外線（ＩＲ）受光部２５、キーストレージ２６を備えている。
【００６４】
ＭＴＤ１のＭＴＤゾーン１３１に格納されたデータ、つまりＣ２により暗号化されたデータの復号化に必要なキーは、コンテンツプロバイダーにより管理されている。例えば、外部端末（携帯電話等）を利用して、コンテンツプロバイダーへアクセスし、キーを受信（購入）する。具体的には、ＭＴＤプレイヤー２によりＭＴＤ１のＭＴＤゾーン１３１を再生しようとすると、コンテンツ番号等が表示（一覧表示又はタイトル毎に表示）される。ユーザは、外部端末に対して、所望のコンテンツ番号を入力し、さらに所望コンテンツに対応するキーの購入操作を行なう。外部端末は、プロバイダーへアクセスし、所望のコンテンツ番号ととともにキーを要求し、キー代金の支払い処理と引き換えに、キーを受信する。さらに、ユーザは、外部端末からＭＴＤプレイヤー２に対して、購入したキーの送信操作を行なう。外部端末は例えば赤外線信号により購入したキーを送信し、ＭＴＤプレイヤー２はＩＲ受光部２５を介してキーを受信する。受信したキーは、キー管理システム２４を介して、キーストレージ２６に格納される。
【００６５】
図８は、キーストレージ２６の一例を示す図である。キーストレージ２６は以下の通りである。
【００６６】
キーストレージ２６は、ＶＴＳ番号に対応するタイトルキー（ＶＴＳ単位のタイトルキー）を格納する。さらに、キーストレージ２６は、ＤＶＤ−Ｖｉｄｅｏ＿ｗｉｔｈ＿Ｃ２に対応するタイトルキー（ＤＶＤ−Ｖｉｄｅｏ＿ｗｉｔｈ＿Ｃ２単位のタイトルキー）を格納する。実際のキーの格納は、ＴＴサーチポインタの記述順番にあたるタイトル番号の順番に最大９９個の配列テーブルに、それぞれ対応するＶＴＳ又はＤＶＤ−Ｖｉｄｅｏ＿ｗｉｔｈ＿Ｃ２のタイトルキーを格納する。
【００６７】
図９は、ＭＴＤディスク上のキー管理テーブルの一例を示す図である。
【００６８】
図９に示すように、キー管理テーブルは、コンテンツ番号、コンテンツ番号に対応するＶＴＳ番号、あるいはＤＶＤ−Ｖｉｄｅｏ＿ｗｉｔｈ＿Ｃ２の番号、及びその他情報を管理する。
【００６９】
ＭＴＤプレイヤー２は、複数のコンテンツ番号をまとめて意味するコンテンツ番号は扱わない。即ち、複数のコンテンツに対応するコンテンツ番号を使って、キーを購入したときは、複数のコンテンツ番号と対応するタイトルキーがまとめてＭＴＤプレイヤー２に送信される。
【００７０】
ここでＭＴＤプレイヤー２とキー管理システム２４の関係について説明する。ＭＴＤプレイヤー２とキー管理システム２４は、非同期で動作する。キー管理システム２４により表示すべき情報（キーに関する情報）は、ＭＴＤプレイヤー２により表示すべき情報（再生に関する情報）より優先的にディスプレイ２７に表示される。キー管理システム２４により表示すべき情報は、タイムアウト、外部端末（携帯電話など）からの指令、あるいはなんらかのプレイヤー操作でディスプレイ２７から消える。キー管理システム２４は、ＭＴＤプレイヤー２に対して操作可能とする（普通のリモコンと同様の操作）。
【００７１】
続いて、ＭＴＤプレイヤー２の動作について説明する。再生要求されたコンテンツのキーの有無で、動作が異なる。
【００７２】
再生要求されたコンテンツのキーが有る場合、指定された動作を行なうことができる。再生要求されたコンテンツのキーが無い場合、例えば、「キーがないため、再生できません。キーをご購入ください。」といった、固定メッセージが表示される。表示後の動作は以下の通りである。
【００７３】
１）ユーザによるタイトル指定再生の場合、メッセージの表示を消したあと、コマンドを無視したように振舞う。
【００７４】
２）コンテンツ中での指示の場合、メッセージの表示を消して、トップメニューを表示する。
【００７５】
３）リジュームからの復帰の場合は、以下の通り。
【００７６】
・ＴＴサーチポインタのプリコマンドをキー条件判定限定にする。
【００７７】
・ＴＴサーチポインタにキーが無かった時専用のコマンドを格納する。コマンドが定義されていなかったときは、メッセージの表示を消して、トップメニューを表示する。
【００７８】
以下、ＭＴＤの再生動作の一例を示す。
【００７９】
１．ＭＴＤプレイヤー：ＭＴＤディスクをロードする。
【００８０】
２．ＭＴＤプレイヤー：メニューを表示する。
【００８１】
３．ＭＴＤプレイヤー：コンテンツ番号が表示されるメニューに到達する。
【００８２】
４．外部端末（携帯電話等）：所定のアプリケーションを起動する。
【００８３】
５．外部端末：所望のコンテンツ番号の入力を受け付ける。
【００８４】
６．外部端末：キー購入の確認ボタンの押下の操作、キーの購入代金の支払い操作を受け付けて、コンテンツプロバイダーから提供されるコンテンツ番号に対応付けられたキーを受信する。
【００８５】
７．外部端末：プロバイダーから提供されたキーの転送操作に対応して、コンテンツ番号と対応付けられたキーをＭＴＤプレイヤーに転送する。
【００８６】
８．ＭＴＤプレイヤー：キーの受信完了を表示する。キーを格納し、「タイトル○○○が再生可能になりました。外部端末（携帯電話）の再生開始ボタンあるいは確認ボタンを押してください。」という内容のポップアップを表示する。以下は、ポップアップではなく、全画面表示でもよい。エラーの場合は、エラー画面をポップアップで表示する。エラーとしては、ディスクに対応しないキー（ディスクに存在しないコンテンツに対応付けられたキー）を受信した場合やキーを受信できなかったときなどがある。このようなエラーの場合は、外部端末（携帯電話）側でキーの再送信を行なう。また、このようなエラーの場合は、例えば、「別のディスクのコンテンツのキーを受信しました。コンテンツ番号をご確認ください」や「キーを正しく受信できませんでした。外部端末（携帯電話）の再送信ボタンを押してください」が表示される。
【００８７】
９．キーが準備できた場合、外部端末（携帯電話）の再生開始ボタン操作により、ＭＴＤプレイヤーに再生開始コマンドが送信される。具体的には、タイトル番号の指定操作と再生開始のボタン操作により、指定されたタイトルの再生開始コマンドが送信される。キーが準備できていない場合、外部端末（携帯電話）の確認ボタン操作により、ＭＴＤプレイヤーにポップ消去コマンドが送信される。
【００８８】
１０．ＭＴＤプレイヤーは、キーの準備完了及び再生開始コマンドの受信に対応して、ポップアップを消して、指定されたタイトルにジャンプして再生を開始する。或いは、ＭＴＤプレイヤーは、キーの準備未了及びポップ消去コマンドの受信に対応して、ポップアップを消す。また、ＭＴＤプレイヤーは、所定時間内にコマンド等を受信しないと、タイムアウトと判定しポップアップを消す。或いは、ＭＴＤプレイヤーは、何らかの外部端末（携帯）の操作に対応してポップアップを消す。
【００８９】
なお、タイトルキーの有無を判定する機能（特定のタイトルが再生可能かどうかを判別する機能）を持たせるため、システムパラメータが拡張される。
【００９０】
次に、ストップキーの取り扱いについて説明する。ＤＶＤ−Ｖｉｄｅｏゾーン、ＤＶＤ−Ｖｉｄｅｏ＿ｗｉｔｈ＿Ｃ２ゾーンをディレクトリのみ指定で再生中に、再生が停止状態になった場合は、「もう一度、停止ボダンを押すとＭＴＤのメニュー、または続きが表示されます」旨をＭＴＤプレイヤーが表示する。
【００９１】
ＭＴＤ−Ｖｉｄｅｏの再生中（ＭＴＤプレイヤー本体の動作中）のストップキー操作は、機器実装に依存する（ＤＶＤ−Ｖｉｄｅｏプレイヤーと同様）。
【００９２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００９３】
【図１】図１は、本発明の実施形態に係る情報記憶媒体（Ｍｕｌｔｉ Ｔｉｔｌｅ Ｄｉｓｃ、以下ＭＴＤ）の概略構成を示す図である。
【図２】図２は、ＭＴＤゾーンの一例を示す図である。
【図３】図３は、ＭＴＤ−Ｖｉｄｅｏの一例を示す図である。
【図４】図４は、ＭＴＤプレイヤー（情報再生装置）の一例を示す図である。
【図５】図５は、ＭＴＤのフォルダ構成の一例を示す図である。
【図６】図６は、ＴＴサーチポインタの一例を示す図である。
【図７】図７は、ＭＴＤプレイヤーのキー管理等を説明するための図である。
【図８】図８は、キーストレージの一例を示す図である。
【図９】図９は、ＭＴＤディスク上のキー管理テーブルの一例を示す図である。
【符号の説明】
【００９４】
１…ＭＴＤ、１１…ボリューム及びファイルストラクチャー、１２…ＤＶＤ−Ｖｉｄｅｏゾーン、１３…ＤＶＤアザーズゾーン、１３１…ＭＴＤゾーン、１３２…ＤＶＤアザーズゾーン、２…ＭＴＤプレイヤー、２１…ＭＴＤ＿Ｖｉｄｅｏプレイヤー、２２…ＤＶＤ−Ｖｉｄｅｏ＿ｗｉｔｈ＿Ｃ２プレイヤー、２３…ＤＶＤ−Ｖｉｄｅｏプレイヤー、２４…キー管理システム、２５…赤外線（ＩＲ）受光部、２６…キーストレージ
【図１】
2007323749.tif 000003
【図２】
2007323749.tif 000004
【図３】
2007323749.tif 000005
【図４】
2007323749.tif 000006
【図５】
2007323749.tif 000007
【図６】
2007323749.tif 000008
【図７】
2007323749.tif 000009
【図８】
2007323749.tif 000010
【図９】
2007323749.tif 000011